(57)【特許請求の範囲】
【請求項１】
空気調和機の空気通路出口側に取り付けられる前後面が開放された枠体の中央に風向板軸受部を備えた前面パネルと、前記前面パネルの側壁と前記風向板軸受部に回転軸を軸支されて並列に配置される複数の風向板と、同風向板を連結するリンク板からなる吹出グリルにおいて、
前記風向板は、板状の羽根部と、前記羽根部の中央と両端に設けられ前記回転軸を備えた支持部と、いずれか１つの前記支持部に設けられた前記リンク板に軸支されるリンク軸で構成され、
前記空気調和機の運転停止時には、前記風向板の羽根部が隣り合う羽根部と一部被さることで、空気調和機通路出口を閉塞するとともに、最下段の風向板の羽根部は前記前面パネルとの間に所定の隙間を有し、
前記空気調和機の運転時には、いずれか１つの風向板を最上段の風向板の方向へ回動させると、他の風向板も連携して吹出口を開放し、
前記風向板軸受部は、前面側に延出した第１アーム部で前記回転軸を軸支するとともに、最下段に位置する前記風向板を軸支する第２アーム部は先端部に軸受孔を備え、同先端部の形状の上部部分は前記風向板が回動した時に接触しないように前記軸受孔と同心円の１／４円形状に形成され、下部部分は矩形状に形成され、矩形状の下端角部には更に前方に半円状に突出した突片を備え、
前記風向板の羽根部は、前記空気調和機の運転および停止時には前記突片とは当接せずに、停止時の位置よりも下方へ回動した時に当接することを特徴とする吹出グリル。
【発明の詳細な説明】
【技術分野】
【０００１】
本発明は、空気調和機の吹出口に取り付けられる吹出グリルに関わり、より詳細には、風向板の開閉機構の構成に関するものである。
【背景技術】
【０００２】
空気調和機の吹出口や吹出グリルに複数個の風向板が並行に配置されて、本体側から吹き出される吹出空気の風向を調整する従来例１として、特許文献１がある。
特許文献１は、空気調和機の室内ユニット本体に取り付けられる吹出グリルであり、同吹出グリルは、外側を囲う枠状の枠体と、枠体の中空部を左右に分割して設置した風向板軸受部と、吹出空気の風向を上下方向に調整する前記枠体の両側部に回転軸で軸支された複数の風向板から構成される。
風向板軸受部には、前記風向板側に向かって、前記風向板の回動を規制するための断面鋸歯状のストッパー部が形成されている。（例えば、特許文献１参照）
【０００３】
従来例１の吹出グリルの風向板は断面鋸歯状のストッパー部で規制されるため、風向板で吹出口を閉塞することは出来ないが、昨今では、空気調和機が停止している時は吹出グリルの吹出口を風向板で閉塞することで、埃や塵等の侵入を防ぎ、また、吹出口の内部が見えなくなることで美観を向上させたものが求められている。
【０００４】
従来例２として、図８（Ａ）に示す吹出グリル１００は、外側を囲う枠状の枠体１０１と、枠体１０１の中空部を左右に分割して設置した風向板軸受部１０２と、吹出空気の風向を上下方向間に調整する複数の風向板１０３から構成され、風向板１０３は枠体１０１の側壁と風向板軸受部１０２で軸支されるとともに、それぞれリンク板１０４で連結されている。図示しないが風向板１０３の1つは側壁を貫通して駆動機構と連携しており、駆動機構により風向板１０３が回動すると、他の風向板もリンク板１０４によって同じように回動することで、運転時は水平になるまで開き、運転停止時は垂直状態で停止することで吹出口１０５を塞ぐことができる。
吹出口１０５は、運転中に人為的な操作により風向板１０３を垂直状態にして全閉とすることがありえる。その時は出口が無くなった吹出空気により、吹出口内部に故障や破損を引き起こすことが予想されため、故障や破損を防ぐために全閉状態でも最低限の通風を確保する必要があり、吹出口１０５の上端と下端は風向板で完全に塞ぐことがないように若干の隙間Ｓを設けている。
しかし、図８（Ｂ）に示すように隙間Ｓがあることにより、風向板１０３が垂直状態の時に、最下段の風向板１０３を人為的に押し込むことも可能である。この場合、最下段の風向板１０３を押し込むと、風向板１０３の回動の反動により、上段の風向板１０３に接触して、その上段の風向板１０３が風向板軸受部１０２やリンク板１０４から位置ずれしたり、外れることで故障や破損が起こり得る。
【先行技術文献】
【特許文献】
【０００５】
【特許文献１】特開２００５−１４７４１１号公報
【発明の概要】
【発明が解決しようとする課題】
【０００６】
本発明の課題は、吹出口に取り付けられた風向板が人為的に押し込まれたことで発生する故障や破損を防止する吹出グリルを提供することである。
【課題を解決するための手段】
【０００７】
上記目的を達成するために、請求項１に係る発明は、空気調和機の空気通路出口側に取り付けられる前後面が開放された枠体の中央に風向板軸受部を備えた前面パネルと、前記前面パネルの側壁と前記風向板軸受部に回転軸を軸支されて並列に配置される複数の風向板と、同風向板を連結するリンク板からなる吹出グリルにおいて、
前記風向板は、板状の羽根部と、前記羽根部の中央と両端に設けられ前記回転軸を備えた支持部と、いずれか１つの前記支持部に設けられた前記リンク板に軸支されるリンク軸で構成され、
前記空気調和機の運転停止時には、前記風向板の羽根部が隣り合う羽根部と一部被さることで、空気調和機通路出口を閉塞するとともに、最下段の風向板の羽根部は前記前面パネルとの間に所定の隙間を有し、
前記空気調和機の運転時には、いずれか１つの風向板を最上段の風向板の方向へ回動させると、他の風向板も連携して吹出口を開放し、
前記風向板軸受部は、前面側に延出した第１アーム部で前記回転軸を軸支するとともに、最下段に位置する前記風向板を軸支する第２アーム部は先端部に軸受孔を備え、同先端部の形状の上部部分は前記風向板が回動した時に接触しないように前記軸受孔と同心円の１／４円形状に形成され、下部部分は矩形状に形成され、矩形状の下端角部には更に前方に半円状に突出した突片を備え、
前記風向板の羽根部は、前記空気調和機の運転および停止時には前記突片とは当接せずに、停止時の位置よりも下方へ回動した時に当接することを特徴とする。
【発明の効果】
【０００９】
本発明の吹出グリルは、人為的に最下段の風向板を押し込んだ場合に、風向板軸受部の第２アーム部の先端部に前方に突出した突片が、前記風向板の羽根部に当接することで、故障や破損を防止するものである。
【図面の簡単な説明】
【００１０】
【図１】本発明の吹出グリルの風向板を開放した状態の斜視図である。
【図２】本発明の吹出グリルの風向板を閉塞した状態の斜視図である。
【図３】本発明の吹出グリルを壁面に設置した状態の図２のＡ−Ａ断面図である。
【図４】本発明の吹出グリルの分解図である。
【図５】本発明の風向板を背面側から見た斜視図である。
【図６】本発明の吹出グリルの風向板を開放した状態の図２のＡ−Ａ部分断面図である。
【図７】図３の部分拡大図で、風向板を押し込んだ状態を示す図である。
【図８】従来例２の吹出グリルの断面図であり、（Ａ）は風向板を閉塞した状態を示し、（Ｂ）は風向板を押し込んだ状態を示す。
【発明を実施するための形態】
【００１１】
以下、本発明を実施するための形態を、添付図面に基づいた実施例として詳細に説明する。
【実施例１】
【００１２】
本発明の吹出グリルは、空気調和機のダクトの空気通路出口側に取り付けられ、空気調和機の吹出口を形成する。吹出グリル１は、図１〜図３に示すように、前面パネル２と、取付枠３と、風向を調整する風向変更装置４と、風向変更装置４とは異なる向きの風向を調整する風向変更装置５とからなり、例えば風向変更装置４が左右の風向を調整し、風向変更装置５が上下の風向を調整する。
前面パネル２は、前後面が開放された四角い枠状で、同枠内が吹出口２ａとなるダクト部２０と、同ダクト部２０の前面側に額縁状に設けられた縁面２１と、ダクト部２０の中央に左右を仕切るように立設された風向板軸受部２２とからなる。
【００１３】
尚、以下の説明では、吹出グリル１において、図１で前面パネル２の縁面２１が配置された方を前面、その反対面を背面とし、前面パネル２を正面視した時に縁面２１が幅広の面を有する側を右側面、その反対面を左側面として説明を進める。
【００１４】
風向板軸受部２２は、図３、図４に示すように、前面側に延出し、後述する風向板５０を軸支するアーム部を備え、アーム部は最下段の風向板５０以外を軸支する第１アーム部２３と、第１アーム部２３と別形状となり最下段に配置された風向板５０を軸支する第２アーム部２４からなる。
第１アーム部２３の先端部２３ａは、風向板５０の軸受孔２３ｂを備えるとともに、先端の形状は風向板５０が回動した時に風向板５０と接触しないように軸受孔２３ｂと同心円の半円形状に形成されている。
第２アーム部２４の先端部２４ａは、風向板５０の軸受孔２４ｂを備えるとともに、先端部２４ａの形状の上部部分は風向板５０が回動した時に風向板５０と接触しないように軸受孔２４ｂと同心円の１／４円形状に形成され、下部部分は矩形状に形成され、矩形状の下端角部には更に前方に半円状に突出した突片２４ｃを備える。突片２４ｃは、正面視で第２アーム部２４と同じ幅で構成され、第２アーム部２４と先端部２４ａおよび突片２４ｃは、後述する風向板５０が垂直状態の時には風向板５０に隠蔽され、前面側からは視認されることはない。
【００１５】
吹出グリル１は、図３に示すように、室内の壁面１０の開口部に取付枠３を先に取り付け、同取付枠３と空気調和機から延設された吹出用ダクト１１とを接続する。その後に前面パネル２の縁面２１を室内に露出させながら前面パネル２のダクト部２０を取付枠３内に埋め込んで設置する。
風向変更装置４は、前面パネル２のダクト部２０内の後方に設けられ、風向変更装置５は、前面パネル２のダクト部２０内の前方に設けられる。
【００１６】
なお、図示しないが、空気調和機は天井裏に本体を設置し、室内に設けられた吸込グリルとダクトを介して吸い込まれた空気を屋外に設置した室外機との間で熱交換する。熱交換された空気は吹出用ダクト１１を通過し、吹出グリル１のダクト部２０内の風向変更装置４と風向変更装置５とで室内に広く届くように吹出方向を調整されて吹き出される。
【００１７】
風向変更装置４は、図４に示すように、並列に配置され上端と下端に回転軸４０ａを備えた６枚の左右風向板４０と、左右風向板４０同士を連結する連結板４１で構成され、前面パネル２の中央の風向板軸受部２２で仕切られたダクト部２０内の右室と左室にそれぞれ１組ずつ、回転軸４０ａを軸支することで配置される。
左右風向板４０を、前面に対して垂直に取り付けられた状態で空気調和機を運転すると、吹出空気は前面側に吹き出される。
吹出空気を左側に向ける時は、左右風向板４０のいずれかの一つを摘み、左方向へ移動させると、左右風向板４０は回転軸４０ａ中心として回動する。一つの左右風向板４０を回動させると、連結板４１が左方向へ移動するとともに、連結板４１で連結されたその他の左右風向板４０も一斉に左方向へ回動し、吹出空気は左面側に吹き出される。
【００１８】
次に風向変更装置５の構成について説明する。
風向変更装置５は、吹出口２ａの前面に並列に配置され、運転時は図１に示すように吹出口２ａを開放し、運転停止時は図２に示すように、シャッター状に吹出口２ａを閉塞する複数枚（本実施例では４枚）の風向板５０と、図４に示すモータ駆動機構６とからなる。
【００１９】
風向板５０は、スチレン系の樹脂製でなり、図５に示すように、細長く前面側に緩やかに湾曲した板状で上面に第１テーパ部５１ａと下面に第２テーパ部５１ｂを有する羽根部５１と、羽根部５１の両端に備えられ、羽根部面を底辺とした五角形状の薄板でなる左側支持部５２および右側支持部５３と、羽根部５１の背面側中央に立設するリブ状の中央支持部５４とからなる。
なお、図３に示すように、第１テーパ部５１ａは、上段に配置される風向板５０の第２テーパ部５１ｂと平行となり、背面側が高く前面側が低くなるテーパ形状となる。
【００２０】
図４および図５に示すように、左側支持部５２には、外側に向かって羽根部５１と平行に回転軸５２ａが立設し、回転軸５２ａは、軸受７０を介して前面パネル２のダクト部２０の吹出口側壁２０ｂに設けた軸孔２５に軸支される。
右側支持部５３には、羽根部５１と平行に回転軸５３ａが立設し、回転軸５３ａは、軸受７０を介して前面パネル２のダクト部２０の吹出口側壁２０ｂに設けた軸孔２５に軸支され、回転軸５３ａの先端部がモータ駆動機構６と連結される。
中央支持部５４には、片側に回転軸５４ａが立設し、回転軸５４ａは、軸受７１を介して前面パネル２の風向板軸受部２２の軸受孔２３ｂ、２４ｂに軸支される。
回転軸５２ａ、５３ａ、５４ａは羽根部５１と平行な直線ｎ上に配置されることで、風向板５０が左右両端と中央の３点をそれぞれ前面パネル２に支持されて自在に回動する。３点が支持されることで、風向板５０が自重により撓んだり、送風の影響により発生する振動を防ぐことができる。
なお、軸受７０と軸受７１は風向板とは異なるポリアセタール等の高摺動性樹脂でなり、風向板５０の摺動性を向上させ回動時に異音を防止する効果がある。
【００２１】
また、右側支持部５３には、右側支持部５３を挟んで回転軸５３ａの対面にリンク軸５３ｂが立設する。リンク軸５３ｂは、リンク板８から突設したアーム８０の先端の隙間に挿入されて軸支される。リンク板８は図３に示すように、その他のそれぞれの風向板５０も同時にアーム８０で軸支することで、モータ駆動機構６の回動に合わせ、全ての風向板５０をリンクさせて回動することができる。
【００２２】
モータ駆動機構６は、モータ６０が、ギアボックス６１で前面パネル２に固定され、図示しないがモータ６０の回転軸が連結軸とスプリングを介して、風向板５０のいずれか１つの回転軸５３ａに組み合わされる。
【００２３】
次に、風向変更装置５の作動について説明する。
図２および図３に示すように、空気調和機の運転停止時には、風向板５０は羽根部５０ａで吹出口２ａを閉塞した状態になっている。この時は、モータ６０が風向板５０のいずれか１つの回転軸５３ａを下方へ回動させるとともに、リンク軸５３ｂが所定の方向へ回動し、リンク軸５３ｂの回動に合わせリンク板８が移動することで、他の風向板５０も同様に回動することにより、全ての風向板５０が均一の角度を保てることになる。
また、下段の風向板５０の第１テーパ部５１ａに上段の風向板５０の第２テーパ部５１ｂが順次被さる状態となることで、吹出口内部に埃の侵入を抑えることが出来、さらに、いずれか１つの風向板５０が開きぎみの状態となった場合でも、上段の風向板５０の第２テーパ部に当接して押えられる。
【００２４】
最下段の風向板５０と前面パネル２のダクト部２０の間には、上と下に若干の隙間ｍが設けられている。これは、運転中に人為的な操作により風向板を垂直状態にして吹出口２ａを閉塞された際に、出口が無くなった吹出空気により、吹出口２ａ内部に故障や破損を引き起こすことを防ぐために最低限の通風を確保する目的で、風向板で吹出口２ａを完全に塞ぐことがないように設けているものである。
【００２５】
空気調和機の操作部の指示により空気調和機が運転開始をすると、モータ６０が駆動し、モータ６０の回転軸と連結された風向板５０のいずれか１つの回転軸５３ａがモータ６０に合わせて回動する。回転軸５３ａは、回転軸５２ａ、５４ａと平行な直線ｎ上に配置されているので風向板５０が、回転軸５２ａ、５３ａ、５４ａを回転の中心点として回動する。モータ６０は風向板５０を図６に示すように、点線で示した風向板（５０）の運転停止時の位置から、実線で示す風向板５０の位置の範囲まで上方に約９０度の範囲で正逆に回転させるようになっている。風向板５０は互いにリンク板８でリンクされていることで、その他の風向板５０も同様に同じ角度に回動する。これにより、風向板５０が吹出口２ａを開放することで、吹出空気が室内に吹き出される。
風向板５０は図６のように９０度の全開の位置まで回動してもよいし、任意の位置に設定して室内の一定の方向に向けて吹出空気を吹出してもよい。また風向を所定の角度範囲で連続的に往復して回動させる指令がある場合は、モータ６０が正逆に回転することで風向板５０が所定の角度範囲で連続的に往復して回動し、室内の隅々まで行き渡るように吹出空気が吹き出されることになる。
【００２６】
空気調和機の操作部の指示により空気調和機が運転停止をすると、モータ６０が運転停止位置で停止して、風向板５０も吹出口２ａを閉塞する図３の垂直状態に戻ることになる。並列に配置された羽根部５１の第１テーパ部５１ａと上端の第２テーパ部５１ｂは運転停止時には、互いに接触せずに、若干の隙間が設けられている。また羽根部５１は風向板軸受部２２の第１アーム部２３とは間隔を空けてあるが、第２テーパ部２４の突片２４ｂとは、近接している。この状態では第２アーム部２４と先端部２４ａおよび突片２４ｃは、羽根部５１で隠れ、前面側からは視認することができないため美観を損なうことはない。
【００２７】
しかし、風向板５０とダクト部２０の間には、隙間ｍが設けられているため、最下段の風向板５０の下端を本来の風向板５０の回動範囲ではない方向へ人為的に押し込むことが予測される。その場合には、図７に示すように、第２アーム部２４の突片２４ｃに羽根部５１の第２テーパ部５１ｂの角部が当接し、羽根部５１の第１テーパ部５１ａの上端が、上段の羽根部５１の第２テーパ部５１ｂに接触する。これにより、さらに風向板が押し込まれることを防ぐことができる。その結果、風向板５０を押し込むことによる風向板の回転の反動により、上段の風向板に接触して、その風向板が中央軸受やリンク板から位置ずれしたり、外れることによる故障や破損を防ぐことが可能となる。
【符号の説明】
【００２８】
１  ：吹出グリル
２  ：前面パネル
２ａ：吹出口
２２：風向板軸受部
２４：第２アーム部
２４ｃ：突片
５０：風向板
５１：羽根部
５１ａ：第１テーパ部
５１ｂ：第２テーパ部
６０：モータ
８  ：リンク板
【図１】
0005799575.tif 000002
【図２】
0005799575.tif 000003
【図３】
0005799575.tif 000004
【図４】
0005799575.tif 000005
【図５】
0005799575.tif 000006
【図６】
0005799575.tif 000007
【図７】
0005799575.tif 000008
【図８】
0005799575.tif 000009